(57)【要約】【課題】  遊技者側に有利な第１特別状態及び第２特別状態が選択的に発生する構成の遊技機が管理対象であった場合でも、大当たり履歴データを適切に管理すること。【解決手段】  パチンコ遊技機１は、大当たり終了後に遊技者側に有利な確変及び時短の双方を同時に発生し、確変転落抽選に当選したときに確変を終了し、特別図柄表示部での図柄変動動作が所定回数実行されたときに時短を終了する。パチンコ遊技機１から管理装置１２には、大当たりにある期間、確変及び時短にある各期間に、大当たり信号、確変信号及び時短信号がそれぞれ与えられる。管理装置１２は、入力された信号に基づいて、確変／時短遊技状態にある期間、確変単独遊技状態にある期間、時短単独遊技状態にある期間、通常遊技状態にある期間を識別し、大当たり間におけるパチンコ遊技機１についての稼動データを、上記のように識別した各期間毎に区分した状態で集計したレコードを作成し、そのレコード群を大当たり履歴データとして出力する。【選択図】  図１
2006075495.tif 000002
【特許請求の範囲】
【請求項１】
大当たり終了後に遊技者側に有利な第１特別状態及び第２特別状態の双方を同時に発生し、遊技に伴い第１終了条件が成立したときに前記第１特別状態を終了すると共に、遊技に伴い前記第１終了条件と異なる第２終了条件が成立したときに前記第２特別状態を終了するように構成された遊技機についての稼動データを各遊技機別に集計するための遊技データ管理装置であって、
前記遊技機が前記第１特別状態及び第２特別状態を双方とも呈している重複期間、当該遊技機が前記第１特別状態のみを呈している第１期間、当該遊技機が前記第２特別状態のみを呈している第２期間、当該遊技機が前記第１特別状態及び第２特別状態にない通常期間の識別を行う識別手段と、
前記大当たり間における前記遊技機についての稼動データを、前記識別手段による識別結果に基づいて、前記重複期間、第１期間、第２期間及び通常期間毎に区分した状態で集計したレコードを作成し、そのレコード群を大当たり履歴データとして出力する集計手段と、
を備えたことを特徴とする遊技データ管理装置。
【請求項２】
前記遊技機は、第１特別状態が発生していることを示す第１識別信号及び前記第２特別状態が発生していることを示す第２識別信号をそれぞれ出力するように構成され、
前記識別手段は、前記第１識別信号及び第２識別信号に基づいて前記重複期間、第１期間、第２期間及び通常期間の識別を行うことを特徴とする請求項１記載の遊技データ管理装置。
【発明の詳細な説明】
【技術分野】
【０００１】
本発明は、遊技機に係る稼動データを各遊技機別に集計する機能を備えた遊技データ管理装置に関する。
【背景技術】
【０００２】
例えば、第１種パチンコ遊技機（所謂セブン機）にあっては、大当たりが終了した後に、大当たり抽選の当たり確率を通常時より高めた確率変動状態（以下、確変と呼ぶ）を発生すると共に、この確変期間中は、当たり図柄表示部の図柄変動時間を短縮させる変動時間短縮状態（以下、時短と呼ぶ）も同時に発生する構成、つまり、確変期間と時短期間とが常に一致する構成とされたものが提供されている。このような遊技機についての遊技データのうち大当たり履歴データを管理する場合には、確変及び時短が双方ともに発生した期間での履歴データとそれ以外の期間での履歴データとを区別することが望ましい。これに対して、従来では、例えば特許文献１に見られるように、遊技機から出力される遊技状態信号に基づいて大当たり種別を判定し、大当たりの発生履歴を、判定した大当たり種別と共に大当たりの発生順に登録するようにしたデータ管理装置が提供されており、このような装置を発展させることによって、確変及び時短が双方ともに発生した期間での遊技データとそれ以外の期間での大当たり履歴間データとを区別する、という上記のような要望に対応することが可能である。
【特許文献１】特開２００４−１６６９５８号公報
【発明の開示】
【発明が解決しようとする課題】
【０００３】
今般行われた遊技機規則の改正に伴って、確変と時短とを各々異なるタイミングで終了させるタイプのパチンコ遊技機が提案されているが、このようなパチンコ遊技機では、大当たりが終了後において、確変及び時短が双方ともに発生した重複期間が終了したときに、確変のみが単独発生した期間及び時短のみが単独発生した期間の何れかが出現し、この期間が終了した後に通常期間（確変及び時短が何れも発生していない期間）へ戻ることになる。従って、この種のパチンコ遊技機１が実際に出現した場合には、大当たり履歴データを、確変及び時短が双方ともに発生した重複期間、確変のみが単独発生した期間、時短のみが単独発生した期間、通常期間に区分して管理することが要求されるが、従来の手段では、大当たり履歴データを上記のように区分して適切に管理することが不可能になるという問題点が生じてしまう。
【０００４】
本発明は上記事情に鑑みてなされたものであり、その目的は、遊技者側に有利な第１特別状態及び第２特別状態が選択的に発生する構成の遊技機が管理対象であった場合でも、大当たり履歴データを適切に管理することが可能になる遊技データ管理装置を提供することにある。
【課題を解決するための手段】
【０００５】
請求項１記載の発明は、上記目的を達成するために、大当たり終了後に遊技者側に有利な第１特別状態及び第２特別状態の双方を同時に発生し、遊技に伴い第１終了条件が成立したときに前記第１特別状態を終了すると共に、遊技に伴い前記第１終了条件と異なる第２終了条件が成立したときに前記第２特別状態を終了するように構成された遊技機についての稼動データを各遊技機別に集計するための遊技データ管理装置において、
前記遊技機が前記第１特別状態及び第２特別状態を双方とも呈している重複期間、当該遊技機が前記第１特別状態のみを呈している第１期間、当該遊技機が前記第２特別状態のみを呈している第２期間、当該遊技機が前記第１特別状態及び第２特別状態にない通常期間の識別を行う識別手段と、
前記大当たり間における前記遊技機についての稼動データを、前記識別手段による識別結果に基づいて、前記重複期間、第１期間、第２期間及び通常期間毎に区分した状態で集計したレコードを作成し、そのレコード群を大当たり履歴データとして出力する集計手段とを備えた構成としたものである。
【０００６】
この場合、請求項２記載の発明ように、前記遊技機を、第１特別状態が発生していることを示す第１識別信号及び前記第２特別状態が発生していることを示す第２識別信号をそれぞれ出力するように構成し、前記識別手段を、前記第１識別信号及び第２識別信号に基づいて前記重複期間、第１期間、第２期間及び通常期間の識別を行う構成とすることもできる。
【発明の効果】
【０００７】
請求項１記載の発明によれば、遊技機においては、大当たりが一旦発生したときには、その大当たり終了後に遊技者側に有利な第１特別状態及び第２特別状態の双方が同時に発生し、その後に第１終了条件または第２終了条件が成立するのに伴い、第１及び第２特別状態の一方が終了して他方の特別状態が単独で発生した状態となり、この状態が所定時期まで（第１終了条件または第２終了条件が成立するまで）続くことになる。この場合、識別手段においては、遊技機が第１特別状態及び第２特別状態の双方を呈している重複期間と、第１特別状態が単独発生している第１期間と、第２特別状態が単独発生している第２期間と、遊技機が第１特別状態及び第２特別状態にない通常期間とを識別するようになり、また、集計手段においては、上記識別結果に基づいて、大当たり間における遊技機についての稼動データを、前記重複期間、第１期間、第２期間及び通常期間毎に区分した状態で集計したレコードを作成し、そのレコード群を大当たり履歴データとして出力するようになる。従って、遊技者側に有利な第１特別状態及び第２特別状態が選択的に発生する構成の遊技機が管理対象でありながら、大当たり履歴データを上記期間毎に区分にして適切に管理することが可能になる。
【０００８】
請求項２記載の発明によれば、遊技機側から、第１特別状態が発生していることを示す第１識別信号及び第２特別状態が発生していることを示す第２識別信号がそれぞれ出力されるから、識別手段においては、それらの信号に基づいて遊技機が重複期間、第１期間、第２期間及び通常期間の何れにあるかを正確に識別できるようになり、結果的に集計手段による集計結果の正確化を実現できることになる。
【発明を実施するための最良の形態】
【０００９】
以下、本発明をパチンコホール用の遊技データ管理装置に適用した一実施例について図面を参照しながら説明する。
図２には、本実施例で管理対象となるパチンコ遊技機の正面外観が概略的に示されている。この図２において、パチンコ遊技機１は、その上皿２内のパチンコ玉を電動式の発射装置（操作ダイヤルのみ符号３を付して示す）により盤面４へ発射する構成となっている。盤面４には、アウト口５、電動チューリップ６ａを備えたスタート入賞口６、賞球の払出しがないスルー入賞口７、アタッカーと呼ばれる電動役物８ａを備えた大入賞口８、図柄表示装置９が設けられていると共に、図示しない通常入賞口も設けられている。
【００１０】
上記図柄表示装置９は、例えば液晶表示パネルにより構成されたもので、図３に概略的に示すように、特別図柄表示部９ａ、保留玉数表示部９ｂ、普通図柄表示部９ｃを備えている。
上記のように構成されたパチンコ遊技機１の基本動作は以下の通りである。
（１）スタート入賞口６へのパチンコ玉の入賞に応じて所定の当たり確率（例えば、通常状態時において１／３００、後述する確変状態時において１／６０）の大当たり抽選動作を実行すると共に、当該パチンコ玉の入賞数を、大当たり抽選動作の抽選結果（「大当たり」または「ハズレ」）が付随した状態の保留玉データとして一時的に記憶する。
【００１１】
（２）上記記憶動作は、例えばＦＩＦＯ形式（先入れ先出し形式）で行われるものであり、記憶された保留玉データは、付随した抽選結果の表示動作が特別図柄表示部９ａにおいて実行される毎に消化される。この抽選結果の表示動作は、パチンコ遊技機１において後述する形態の大当たりが発生していない期間、並びに特別図柄表示部９ａが動作停止している期間には直ちに実行され、また、当該大当たりが発生している期間や特別図柄表示部９ａが動作中の期間には、その大当たりの終了或いは特別図柄表示部９ａの動作停止を待って実行される。この場合、特別図柄表示部９ａは、図柄表示装置９の中央に表示される例えば３桁の数字列より成るルーレットにより構成されたもので、抽選結果の表示動作時には、当該ルーレットの図柄変動表示（本実施例の場合、数字列の各桁の「０」〜「９」の範囲での変動表示）を所定期間だけ行うと共に、抽選結果が「大当たり」であったときにはその図柄変動表示の終了時点で数字列が「１１１」、「２２２」、…のようなぞろ目図柄（大当たり図柄）となるように制御され、抽選結果が「ハズレ」であったときには、ぞろ目図柄以外のハズレ図柄をランダムに表示するように制御される。
【００１２】
（３）特別図柄表示部９ａにぞろ目図柄が表示されたときには、大入賞口８の電動役物８ａ（アタッカー）を予め決められたモードにて所定期間だけ開放する制御を行い、以て当該大入賞口８への入賞率を極端に高めた大当たりを発生させる。
（４）保留玉データの最大記憶数、つまり未消化の保留玉数の上限値は、例えば４個分に限定される構成となっており、その保留玉数は、保留玉数表示部９ｂにおいて周知の形態で表示される。
【００１３】
（５）スルー入賞口７へのパチンコ玉の入賞に応じて所定の当たり確率（例えば１／１０）の補助抽選動作を実行し、その補助抽選動作の結果を普通図柄表示部９ｃで表示する。尚、普通図柄表示部９ｃは、図柄表示装置９の右下部に表示される例えば２桁の数字列より成るルーレットにより構成されたもので、抽選結果の表示動作時には、当該ルーレットの図柄変動表示（本実施例の場合、数字列の各桁の「０」〜「９」の範囲での変動表示）を所定期間だけ行うと共に、補助抽選動作の結果が当たりであったときにはその図柄変動表示の終了時点で数字列が「１１」、「２２」、…のようなぞろ目図柄（当たり図柄）となるように制御される。
【００１４】
（６）普通図柄表示部９ｃにぞろ目図柄が表示された状態では、電動チューリップ６ａを所定時間（例えば、通常状態時において０．５秒、後述する時短状態時において５秒）だけ開放させる制御を行う。
（７）前記大当たりが終了した後は、大当たり抽選動作の当たり確率を、通常状態時の１／３００から１／６０に高めた確率変動状態（以下、確変と呼ぶ：第１特別状態に相当）と、普通図柄表示部９ｃによる表示動作の所要時間を、通常時の３０秒から５秒に短縮した変動時間短縮状態（以下、時短と呼ぶ：第２特別状態に相当）とを同時に発生させる。尚、この時短状態では、前述したように、電動チューリップ６ａの開放時間を通常時の０．５秒から５秒に延長する制御も行われる。
【００１５】
（８）確変が発生した期間には、スタート入賞口６へパチンコ玉が入賞する毎に所定の当たり確率（例えば、１／６０）の確変転落抽選動作を実行する。この抽選に当選したときに、本発明でいう第１終了条件が成立するものであり、その成立に応じて確変を終了する。尚、上記確変転落抽選動作に当選したこと、つまり確変が終了したことは、図柄表示装置９に表示されない構成となっており、従って遊技者では確変が終了したことを直接的に判別できない。
【００１６】
（９）時短が発生した期間には、特別図柄表示部９ａでの図柄変動動作が所定回数（例えば１００回）実行されたときに、本発明でいう第２終了条件が成立するものであり、その成立に応じて時短を終了する。尚、時短が終了したことは報知されないが、時短の終了に伴い普通図柄表示部９ｃによる表示動作の所要時間及び電動チューリップ６ａの開放時間が通常状態に戻されることになるから、遊技者では、上記のような各時間の変化に基づいて時短が終了したことを間接的に判別できる。
【００１７】
以上のような基本動作が設定されたパチンコ遊技機１においては、大当たりが一旦発生したときには、その大当たりの終了後において確変と時短が同時に発生することになる。この場合、時短は一定期間が経過したときに必ず終了するが、確変の終了時期は確変転落抽選動作の結果に依存して決まるため、それら確変及び時短の各継続期間が一致しなくなる。
【００１８】
つまり、パチンコ遊技機１においては、大当たりが終了した後には、
（Ａ）確変及び時短が同時に発生した確変／時短遊技状態を呈した期間（重複期間に相当）、
が出現し、この遊技状態にある期間中に大当たりが再発生しなかった場合には、
（Ｂ）確変のみが発生した確変単独遊技状態を呈した期間（第１期間に相当）、
（Ｃ）時短のみが発生した確変単独遊技状態を呈した期間（第２期間に相当）、
の何れかが出現し、これら各期間中に大当たりが再発生しなかった場合には、
（Ｄ）確変及び時短が双方ともに発生していない通常遊技状態を呈した期間（通常期間に相当）、
が出現することになる。但し、確率的には非常に低いが、確変及び時短がほとんど同じ時期に終了する可能性があり、このような場合には確変／時短遊技状態（Ａ）の後に、確変単独遊技状態（Ｂ）或いは時短単独遊技状態（Ｃ）が実質的に出現せず、通常遊技状態（Ｄ）がいきなり出現することになる。
【００１９】
また、パチンコ遊技機１は大当たりにある期間に大当たり信号を出力し、確変及び時短にある各期間に確変信号（第１識別信号に相当）及び時短信号（第２識別信号に相当）をそれぞれ出力する構成となっている。
従って、パチンコ遊技機１は、大当たりが発生した後において、大当たりが再発生することなく通常遊技状態（Ｄ）に移行した場合には、図４（ａ）及び（ｂ）の何れか一方のタイミングチャートに示すパターンで大当たり信号、時短信号及び確変信号を出力することになる。即ち、図４（ａ）に示す信号出力パターンは、大当たり終了後に発生した確変及び時短のうち時短が先に終了する場合（大当たり状態→確変／時短遊技状態→確変単独遊技状態→通常遊技状態の順に推移する場合）の例であり、また、図４（ｂ）に示す信号出力パターンは、大当たり終了後に発生した確変及び時短のうち確変が先に終了する場合（大当たり状態→確変／時短遊技状態→時短単独遊技状態→通常遊技状態の順に推移する場合）の例である。
【００２０】
図１には、遊技場用システムの概略的構成が本発明の要旨に関係した部分のみ示されている。この図１において、遊技場内に多数台ずつ設置されたパチンコ遊技機１及び台間玉貸機１０は、互いの間で信号の授受を行い得るように構成されている。パチンコ遊技機１の上方には呼出ランプユニット１１が設けられており、当該パチンコ遊技機１は、呼出ランプユニット１１を介して管理装置１２（識別手段、集計手段に相当）に接続され、台間玉貸機１０は呼出ランプユニット１１を介して管理装置１２に接続されている。尚、パチンコ遊技機１から管理装置１２には、アウト玉数信号、セーフ玉数信号、特別図柄表示部９ａの動作開始を示すスタート信号、大当たり信号、確変信号、時短信号などが出力される。
【００２１】
台間玉貸機１０は、プリペイドカード挿入口１０ａに図示しないプリペイドカードが挿入された状態で当該プリペイドカードに記憶された残高金額データの範囲内でパチンコ玉を放出（貸出）するＣＲ機（カードリーダ機）としての機能を備えたものである。この場合、各台間玉貸機１０から管理装置１２には、プリペイドカードによる売上を示す売上信号などが出力される。
【００２２】
呼出ランプユニット１１は、符号を付して示さないが、複数の表示ランプ、例えば液晶パネルより成るデータ表示部、呼出ボタンなどを備えた周知構成のもので、呼出ボタンの操作に伴う呼び出し状態の表示機能、対応するパチンコ遊技機１で発生した大当たり状態などを表示する機能、パチンコ遊技機１での稼動データに基づいて作成した遊技客向けデータ（大当たり発生回数など）を表示する機能、パチンコ遊技機１及び台間玉貸機１０のためのデータ入出力インタフェースの機能などを備えている。
【００２３】
管理装置１２は、パチンコ遊技機１及び台間玉貸機１０から出力される種々の信号（アウト玉数信号、セーフ玉数信号、スタート信号、大当たり信号、確変信号、時短信号、売上信号など）に基づいて、パチンコ遊技機１についての稼動データ（アウト玉数、セーフ玉数、差玉数、稼動率、出玉率、ベース、スタート回数（特別図柄表示部９ａでの表示動作開始回数）など）、並びに台間玉貸機１０についての貸出高データ（売上金額、割数など）を集計して格納するという周知のデータ集計機能を備えた構成となっている。
【００２４】
特に、管理装置１２は、パチンコ遊技機１からの大当たり信号、確変信号、時短信号の入力状態に基づいて、当該パチンコ遊技機１が前述した確変／時短遊技状態、確変単独遊技状態、確変単独遊技状態、通常遊技状態の何れの状態にあるかを識別し、その識別結果に基づいてパチンコ遊技機１に係る稼動データを個別に集計する構成となっている。具体的には、管理装置１２は、パチンコ遊技機１毎に以下（１）〜（４）のようなタイミングで稼動データに係るレコードを記録し、そのレコードを当該パチンコ遊技機１の台番号と対応付けた状態で順次蓄積した大当たり履歴データを作成して出力する構成となっている。
【００２５】
即ち、図５には、パチンコ遊技機１に台番号に対応付けられた大当たり履歴データの出力例が示されており、これを参照しながら当該大当たり履歴データの作成機能について説明する。
（１）パチンコ遊技機１において、大当たりが発生する毎に、その大当たり発生に係る「通し番号（Ｎｏ．）」及び「発生時刻」、大当たり発生直前の遊技状態の「種別」を示す情報（確変／時短遊技状態「Ｗ」、確変単独遊技状態「Ｋ」、時短単独遊技状態「Ｊ」、通常遊技状態「−」の何れか）、それぞれ前回のレコード作成時点（先頭レコードについては遊技場の営業開始時点）からの「スタート回数（スタート）」、「アウト玉数（ＢＯ）」及び「差玉数（Ｂ差）」を記録したレコードを作成する。また、このレコード中には、対応する大当たりが終了したときに、「大当たり中差玉数（ＴＹ）」及び「大当たり中アウト玉数（ＴＯ）」が記録される。
【００２６】
つまり、図５の例では、レコード中に記録された「通し番号」、「発生時刻」及び「種別」の各データにより、１０時５分に発生した１回目の大当たり並びに１１時１０分に発生した２回目の大当たりは、パチンコ遊技機１が通常遊技状態にあるときに発生したことが示され、また、１１時２３分に発生した３回目の大当たりはパチンコ遊技機１が確変単独遊技状態にあるときに発生し、１１時３９分に発生した４回目の大当たりはパチンコ遊技機１が確変／時短状態にあるときに発生したことが示される。そして、「通し番号」及び「発生時刻」が記録された各レコード中の数値データにより、前回の大当たりの終了時点、または、前回の確変単独遊技状態或いは時短単独遊技状態の終了時点から、対応する大当たりが発生するまでの期間の「スタート回数」、「アウト玉数」、「差玉数」が示されると共に、「大当たり中差玉数」及び「大当たりアウト玉数」が示されることになる。
【００２７】
（２）パチンコ遊技機１において、大当たりの終了に引き続く確変／時短遊技状態が終了する毎に、当該遊技状態の「種別」を示す情報（つまり、確変／時短遊技状態を示す「Ｗ」）、大当たりの終了時点からの「スタート回数（スタート）」、「アウト玉数（ＢＯ）」及び「差玉数（Ｂ差）」を記録したレコードを作成する。
つまり、図５の例では、通し番号が記録されていないレコードのうち、当該通し番号が記録されたレコードの次段に位置した各レコード（２段目、５段目、８段目の各レコード）中の数値データにより、大当たり終了後において確変／時短遊技状態にあった期間中の「スタート回数」、「アウト玉数」、「差玉数」が示されることになる。
【００２８】
（３）パチンコ遊技機１において、確変／時短遊技状態に引き続いて発生した遊技状態（確変単独遊技状態または時短単独遊技状態）が終了する毎に、当該終了遊技状態の「種別」を示す情報（「Ｋ」または「Ｊ」）、確変／時短遊技状態の終了時点からの「スタート回数（スタート）」、「アウト玉数（ＢＯ）」及び「差玉数（Ｂ差）」を記録したレコードを作成する。
【００２９】
つまり、図５の例では、通し番号が記録されていないレコードのうち、当該通し番号が記録されたレコードの次々段に位置した各レコード（３段目のレコード）中の「種別」データ（「Ｊ」）により、確変／時短遊技状態において確変が先に終了して時短単独遊技状態に移行したことが示され、同じく９段目のレコード中の「種別」データ（「Ｋ」）により、確変／時短遊技状態において時短が先に終了して確変単独遊技状態に移行したことが示される。また、当該各レコード中の数値データにより、確変／時短遊技状態終了後において時短単独遊技状態或いは確変単独遊技状態にあった各期間中の「スタート回数」、「アウト玉数」、「差玉数」が示されることになる。
【００３０】
さらに、管理装置１２は、上記のように集計した大当たり履歴データとは別に、パチンコ遊技機１毎の収支に係る収支特性データを算出する機能を備えている。
図６には、上記収支特性データの出力一例が示されている。この図６において、収支特性データは、パチンコ遊技機１の台番号と対応付けた状態で、
・累計アウト玉数「アウト」：大当たり履歴データ（図５参照）中の「アウト玉数（ＢＯ）」及び「大当たり中アウト玉数（ＴＯ）」の累計値、
・「累計差玉数（差玉）」：大当たり履歴データ中の「差玉数（Ｂ差）」及び「大当たり中差玉数（ＴＹ）」の累計値、
・「出玉率」：全体の出玉率、つまり、［全体のセーフ玉数（＝「累計差玉数」＋「累計アウト玉数」）÷「累計アウト玉数」］×１００％
・「大当たり間アウト玉数（ΣＢＯ）」：大当たり履歴データ中の「アウト玉数（ＢＯ）」の累計値、
・「大当たり間差玉数（ΣＢ差）」：大当たり履歴データ中の「差玉数（Ｂ差）」の累計値、
・「ベース１」：大当たり期間外の出玉率、
・「ベース２」：確変／時短遊技状態及び時短単独遊技状態を除く大当たり期間外の出玉率、
・「ベース３」：確変／時短遊技状態及び時短単独遊技状態にある期間の出玉率、
・「累計大当たり回数（Ｔ回数）」：大当たりの発生回数（大当たり履歴データ中の「通し番号」の最大値に相当）、
・「平均出玉数（平均ＴＹ）」：大当たり履歴データ中の「大当たり中差玉数（ＴＹ）」の平均値、
・「平均アウト玉数（平均ＴＯ）」：大当たり履歴データ中の「大当たり中アウト玉数（ＴＯ）」の平均値、
を記録したデータである。
【００３１】
また、管理装置１２は、スタート信号、大当たり信号、確変信号、時短信号に基づいて、パチンコ遊技機１毎のスタート回数に係るスタート特性データを集計する機能を備えている。
図７には、上記スタート特性データの出力例が示されている。この図７において、スタート特性データは、パチンコ遊技機１の台番号と対応付けた状態で、
・「累計スタート回数（Ｓ）」：特別図柄表示部９ａの図柄変動動作回数の総計、
・「通常時累計スタート回数（Ｓ−）」：通常遊技状態での特別図柄表示部９ａの図柄変動動作回数の累計値、
・確変／時短遊技時累計スタート回数（ＳＷ）」：確変／時短遊技状態での特別図柄表示部９ａの図柄変動動作回数の累計値、
・時短遊技時累計スタート回数（ＳＪ）」：時短単独遊技状態での特別図柄表示部９ａの図柄変動動作回数の累計値、
・確変遊技時累計スタート回数（ＳＫ）」：確変単独遊技状態での特別図柄表示部９ａの図柄変動動作回数の累計値、
・「累計大当たり回数（Ｔ回数）」：大当たりの発生回数、
・「確変中大当たり回数（Ｔｗｋ回数）」：確変／時短遊技状態及び確変単独遊技状態時に発生した大当たりの回数、
・「大当たり間平均スタート回数（ＴＳ）」：大当たり間の平均スタート回数（大当たり確率の逆数に相当）、
・「通常時及び時短時平均スタート回数（ＴＳ−）」：通常遊技状態及び時短単独遊技状態にある期間中の大当たり間平均スタート回数（当該期間での大当たり確率の逆数）、
・「確変時平均スタート回数（ＴＳｗｋ）」：確変／時短遊技状態及び確変単独遊技状態にある期間中の大当たり間平均スタート回数（当該期間での大当たり確率の逆数）、
を記録したデータである。
【００３２】
以上要するに、本実施例の構成によれば、パチンコ遊技機１においては、大当たりが一旦発生したときに、その大当たり終了後に遊技者側に有利な確変及び時短の双方が同時に発生した確変／時短遊技状態を呈し、その確変／時短遊技状態において、スタート入賞口６へパチンコ玉が入賞する毎に行われる確変転落抽選に当選したときに確変が終了して時短単独遊技状態を呈し、また、確変／時短遊技状態において、特別図柄表示部９ａでの図柄変動動作が所定回数（１００回）実行されたときに時短が終了して確変単独遊技状態を呈することになる。つまり、確変の終了タイミング及び時短の終了タイミングが自ずと異なるようになるから、大当たり終了後には、確変／時短遊技状態の期間を経た後に、確変単独遊技状態または時短単独遊技状態の何れかの期間を経て通常遊技状態へ戻ることになる。
【００３３】
この場合、パチンコ遊技機１からは、大当たりにある期間に大当たり信号が出力され、確変及び時短にある各期間に確変信号及び時短信号がそれぞれ出力されて管理装置１２に与えられるから、管理装置１２側では、それら信号に基づいて、確変／時短遊技状態にある期間、確変単独遊技状態にある期間、時短単独遊技状態にある期間、通常遊技状態にある期間を、正確に識別できることになる。また、管理装置１２は、上記識別結果に基づいて、大当たり間におけるパチンコ遊技機１についての稼動データを、上記のように識別した各期間に区別した状態で集計したレコードを作成し、そのレコード群を大当たり履歴データとして出力するようになる。従って、遊技者側に有利な確変及び時短が選択的に発生する構成のパチンコ遊技機１が管理対象でありながら、大当たり履歴データを上記各期間毎に区分にして適切に管理することが可能になる。しかも、上記のように確変／時短遊技状態にある期間、確変単独遊技状態にある期間、時短単独遊技状態にある期間、通常遊技状態にある期間の識別を正確に行い得るから、上記集計結果の正確化を実現できることになる。
【００３４】
（その他の実施の形態）
本発明は上記し且つ図面に示した実施例に限定されるものではなく、例えば以下に述べるような変形或いは拡大が可能である。
パチンコ遊技機１は、大当たりの終了後において確変／時短遊技状態へ必ず移行する構成としたが、大当たり終了後に所定の確率で確変／時短遊技状態へ移行する構成、例えば、特別図柄表示部９ａにおける図柄変動演出動作の終了時点での表示数字列が「１１１」、「３３３」のような奇数列であった場合に、確変／時短遊技状態へ移行する構成（移行する確率は１／２）であっても良い。
【００３５】
確変／時短遊技状態、確変単独遊技状態、時短単独遊技状態にある各期間の識別を、パチンコ遊技機１側から時短及び確変にある各期間に出力される確変信号及び時短信号に基づいて行う構成としたが、パチンコ遊技機１において確変転落抽選に当選したタイミング及び特別図柄表示部９ａでの図柄変動動作が所定回数実行されたタイミングで当該パチンコ遊技機１から確変終了信号及び時短終了信号がそれぞれ出力される構成とし、管理装置１２側では、それら確変終了信号及び時短終了信号の入力タイミングに基づいて上記各期間の識別を行う構成としても良い。
【００３６】
大当たり終了後に遊技者側に有利な第１特別状態及び第２特別状態の双方を同時に発生し、遊技に伴い第１終了条件が成立したときに前記第１特別状態を終了すると共に、遊技に伴い前記第１終了条件と異なる第２終了条件が成立したときに前記第２特別状態を終了するように構成された遊技機であれば、パチンコ遊技機以外の遊技機（例えばスロットマシン）に適用することも可能である。
【図面の簡単な説明】
【００３７】
【図１】本発明の一実施例を示す遊技場用システムの概略的構成図
【図２】パチンコ遊技機の概略的正面図
【図３】図柄表示装置の概略的正面図
【図４】信号出力パターンの一例を示すタイミングチャート
【図５】大当たり履歴データの出力例を示す図
【図６】収支特性データの出力例を示す図
【図７】スタート特性データの出力例を示す図
【符号の説明】
【００３８】
１はパチンコ遊技機、９は図柄表示装置、１０は台間玉貸機、１２は管理装置（識別手段、集計手段）を示す。
【図１】
2006075495.tif 000003
【図２】
2006075495.tif 000004
【図３】
2006075495.tif 000005
【図４】
2006075495.tif 000006
【図５】
2006075495.tif 000007
【図６】
2006075495.tif 000008
【図７】
2006075495.tif 000009